(57)【要約】      （修正有）【課題】配電設備機器の点検において感電事故を防止する高圧配電盤設備を提供する。【解決手段】高圧配電盤設備は、電力会社または自営系発電所から送られてくる電源に、開閉機器を介して接続された母線に、開閉機器を介して接続されると共に、他の変電所または配電所から送られてくる電源に接続された外線に、開閉機器を介して接続された方面別主回線を有する、方面の負荷設備に配電するための高圧配電盤を有する、扉を有する高圧配電盤設備と、該高圧配電盤設備に設けた、加圧注意喚起装置１２とよりなり、該加圧注意喚起装置は、扉の開閉を検知する扉開閉検知部１５と、母線の電圧の有無を検知する母線側電圧有無検知部１３と、方面別主回線の電圧の有無を検知する方面側電圧有無検知部１４と、警報を通知する警報部１６と、判断部１７とよりなり、判断部は、扉開閉検知部により扉が開であり、母線側電圧有無検知部、または、方面別電圧有無検知部により電圧が有りと判断した場合に、警報部により、警報を通知する。【選択図】図３
0003228024.tif 000002
【実用新案登録請求の範囲】
【請求項１】
電力会社または自営系発電所から送られてくる電源に、開閉機器を介して接続された母線に、開閉機器を介して接続されると共に、
上記電力会社または自営系発電所とは異なる他の変電所または配電所から送られてくる電源に接続された外線に、開閉機器を介して接続された方面別主回線を有する、方面の負荷設備に配電するための高圧配電盤を有する、扉を有する高圧配電盤設備と、
該高圧配電盤設備に設けた、加圧注意喚起装置とよりなり、
該加圧注意喚起装置は、扉の開閉を検知する扉開閉検知部と、
母線の電圧の有無を検知する母線側電圧有無検知部と、方面別主回線の電圧の有無を検知する方面側電圧有無検知部と、警報を通知する警報部と、判断部とよりなり、
判断部は、扉開閉検知部により扉が開であり、母線側電圧有無検知部、または、方面別電圧有無検知部により電圧が有りと判断した場合に、警報部により、警報を通知することを特徴とする高圧配電盤設備。
【請求項２】
母線には、計器用変成器が設けられ、該計器用変成器の、計器を接続するための引き出し端子に、母線側電圧有無検知部が接続されると共に、
方面別主回線には、計器用変成器が設けられ、該計器用変成器の、計器を接続するための引き出し端子に、方面側電圧有無検知部が接続されることを特徴とする請求項１に記載の高圧配電盤設備。
【請求項３】
電力会社または自営系発電所から送られてくる電源に、開閉機器を介して接続された母線に、開閉機器を介して接続されると共に、電力会社または自営系発電所とは異なる他の変電所または配電所から送られてくる電源に接続された外線に、開閉機器を介して接続された方面別主回線を有する、方面の負荷設備に配電するための高圧配電盤を有する、扉を有する高圧配電盤設備に設けた、加圧注意喚起装置よりなり、
該加圧注意喚起装置は、扉の開閉を検知する扉開閉検知部と、母線の電圧の有無を検知する母線側電圧有無検知部と、方面別主回線の電圧の有無を検知する方面側電圧有無検知部と、警報を通知する警報部と、判断部とよりなり、
判断部は、扉開閉検知部により扉が開であり、母線側電圧有無検知部、または、方面別電圧有無検知部により電圧が有りと判断した場合に、警報部により、警報を通知することを特徴とする高圧配電盤設備に設けられた加圧注意喚起装置。
【考案の詳細な説明】
【技術分野】
【０００１】
本考案は、加圧注意喚起装置を有するキュービクル式の高圧配電盤設備（以下、「高圧配電盤設備」と言う。）に関するものである。
【背景技術】
【０００２】
電鉄用変電所及び配電所設備等においては、電力会社または自営系発電所から送られてくる電源に、受電用遮断器及び断路器を介し接続された母線から、各方面の負荷設備に配電するために、各機器が箱体内に収められた高圧配電盤設備が設けられた。
【０００３】
この高圧配電盤設備内に設けられている機器として、例えば、遮断器、変圧器、計器用変圧器、計器用変流器、高圧ケーブル、碍子、配線などがあり、点検するために高圧配電盤設備の扉を開けて、内部に設けられている各種機器の点検等を行っていた。
【０００４】
そして、従来においては、作業中に感電しないように、点検作業者は、高圧配電盤設備の扉を開けてから、内部の加圧箇所を確認し、そして、加圧されていないと判断したときにのみ、点検作業を行うようにしていた。
【０００５】
また、例えば、特許文献１のように、扉に電子錠を設け、加圧されている場合には、電子錠を施錠中として、扉が開かないようにし、停電中にのみ、開錠中とし、扉が開くようにしたものもある。
【先行技術文献】
【特許文献】
【０００６】
【特許文献１】特開平１０−１７４２１８号公報
【考案の概要】
【考案が解決しようとする課題】
【０００７】
しかしながら、高圧配電盤設備内は、電力会社または自営系発電所が停電または遮断した場合に備えて、電力会社または自営系発電所以外に、隣接の他の変電所または配電所から電源が配電されるように設けられている。従って、例えば、電力会社または自営系発電所が停電または遮断したした場合であっても、自変電所または配電所の高圧配電盤設備は、配電線を通じて隣接の変電所または配電所から配電され、自高圧配電盤設備内は加圧されていることがあるため、作業員が加圧箇所をしっかりと認識しなかった場合には、感電事故が発生する場合があった。
【０００８】
また、電子錠を有する高圧配電盤設備においては、電力会社または自営系発電所から送られてくる電源に受電用遮断器及び断路器を介し接続された母線のみ検知するものであるため、各方面に配電する高圧配電盤には設けられておらず、母線が加圧されていなくても、方面別の高圧配電盤が加圧されている場合があり、感電事故の防止が不十分であった。
【０００９】
本考案は、高圧配電盤設備内があらゆる条件でも加圧されている場合に注意喚起できる装置を設け、確実に感電防止ができるようにすることを目的とする。
【００１０】
また、高圧配電盤設備内に容易に取り付けることができる「加圧注意喚起装置」を提供することを目的とする。
【課題を解決するための手段】
【００１１】
本考案の電鉄用変電所及び配電所の高圧配電盤設備は、電力会社または自営系発電所から送られてくる電源に、開閉機器を介して接続された母線に、開閉機器を介して接続されると共に、上記電力会社または自営系発電所とは異なる他の変電所または配電所から送られてくる電源に接続された外線に、開閉機器を介して接続された方面別主回線を有する、方面の負荷設備に配電するための高圧配電盤を有する、扉を有する高圧配電盤設備と、該高圧配電盤設備に設けた、加圧注意喚起装置とよりなり、該加圧注意喚起装置は、扉の開閉を検知する扉開閉検知部と、母線の電圧の有無を検知する母線側電圧有無検知部と、方面別主回線の電圧の有無を検知する方面側電圧有無検知部と、警報を通知する警報部と、判断部とよりなり、判断部は、扉開閉検知部により扉が開であり、母線側電圧有無検知部、または、上記方面別電圧有無検知部により電圧が有りと判断した場合に、警報部により、警報を通知することを特徴とする。
【００１２】
また、母線には、計器用変成器が設けられ、該計器用変成器の、計器を接続するための引き出し端子に、母線側電圧有無検知部が接続されると共に、方面別主回線には、計器用変成器が設けられ、該計器用変成器の、計器を接続するための引き出し端子に、方面側電圧有無検知部が接続されることを特徴とする。
【００１３】
また、本考案の電鉄用変電所及び配電所の高圧配電盤設備に設けられた加圧注意喚起装置は、電力会社または自営系発電所から送られてくる電源に、開閉機器を介して接続された母線に、開閉機器を介して接続されると共に、上記電力会社または自営系発電所とは異なる他の変電所または配電所から送られてくる電源に接続された外線に、開閉機器を介して接続された方面別主回線を有する、方面の負荷設備に配電するための高圧配電盤を有する、扉を有する高圧配電盤設備と高圧配電盤設備に設けた、加圧注意喚起装置よりなり、該加圧注意喚起装置は、扉の開閉を検知する扉開閉検知部と、母線の電圧の有無を検知する母線側電圧有無検知部と、方面別主回線の電圧の有無を検知する方面側電圧有無検知部と、警報を通知する警報部と、判断部とよりなり、判断部は、扉開閉検知部により扉が開であり、母線側電圧有無検知部、または、方面別電圧有無検知部により電圧が有りと判断した場合に、警報部により、警報を通知することを特徴とする。
【考案の効果】
【００１４】
本考案によれば、安全に、点検作業ができるようになる。また、「加圧注意喚起装置」を高圧配電盤設備内に簡単に接続できるようになる。
【図面の簡単な説明】
【００１５】
【図１】本考案の全体図面で、特高受電主回路、き電系、高圧配電系の単線線結線図を示す。
【図２】本考案の特高受電主回路からの高圧配電系主回路を示す。
【図３】本考案の加圧注意喚起装置の説明図で、母線電圧（有り）、方面別電圧（有り）でＯＲ回路で電圧（有り）が成立し、扉（開）条件でＡＮＤ回路で成立し鳴動を説明する図である。
【図４】本考案の加圧注意喚起装置の説明図で、母線電圧（有り）、方面別電圧（無し）でＯＲ回路で電圧（有り）が成立し、扉（開）条件でＡＮＤ回路で成立し鳴動を説明する図である。
【図５】本考案の加圧注意喚起装置の説明図で、母線電圧（無し）、方面別電圧（有り）でＯＲ回路で電圧（有り）が成立し、扉（開）条件でＡＮＤ回路が成立し鳴動を説明する図である。
【図６】本考案の加圧注意喚起装置の説明図で、母線電圧（無し）、方面別電圧（無し）でＯＲ回路で電圧（無し）が成立し、扉（開）条件でＡＮＤ回路が不成立で鳴動はしないを説明する図である。
【考案を実施するための形態】
【００１６】
以下図面によって本考案の実施例を説明する。
【実施例１】
【００１７】
図１は、一般的な電鉄用変電所の特高受電主回路、き電系、高圧配電系の単線結線図である。引き込み線２から、電力会社又は自営系発電所からの特高６６ｋｖを受電し、特高交配用受電用断路器、遮断器などの開閉機器４を介し、交配用特高変圧器６で６、６ｋｖに変圧され、方面別の高圧配電盤１を有する、扉を有する高圧配電盤設備に供給される。
【００１８】
なお、高圧配電盤設備には、内部を点検するための扉が設けられ、該扉を有する一つの高圧配電盤設備１には、一般には、複数の方面の負荷設備に配電するための複数の高圧配電盤設備１が設けられるが、一つの方面の負荷設備に配電するための高圧配電盤設備１のみが設けられる場合もある。
【００１９】
そして、高圧配電盤設備においては、図１及び図２に示すように、電力会社または自営系発電所から、引き込み線２により、例えば、６６ｋＶの特別高圧の受電（受電盤）の３φ３Ｗ５０Ｈｚ６６ｋＶから受電されてくる。
【００２０】
上記引き込み線２に接続された特高母線６６ｋＶには受電用断路器（９１０Ｌ）、受電用遮断器（９１０）、特高配電用断路器（６９１Ｂ）、特高配電用遮断器（６９１）を経由して、特高配電用変圧器６から、配電用の６．６ｋＶに変圧され高圧母線３となり、該高圧母線３は分岐して、高圧配電盤設備に接続される。
【００２１】
高圧配電盤設備内は、高圧母線３と、高圧母線３から分岐して接続された複数の方面別高圧電源盤１からなり、該各方面別高圧電源盤１は、高圧配電線ケーブル等からなる方面別主回線（方面別線）５、高圧遮断器（ＶＣＢ）等の開閉装置７、計器用変成器（計器用変流器（ＣＴ）・計器用変圧器（ＶＴ））１０、１１等からなり、前記高圧母線３に、高圧遮断器（ＶＣＢ）等の開閉機器７を介して、方面別主回線５に接続され、また、該方面別主回線５は、遮断器などの開閉機器９を介して、外線８に接続されて、各負荷設備と隣接変電所または配電所に配電している。また、必要に応じて、隣接変電所または配電所から、配電される。
【００２２】
また、方面別主回線５には、電圧検知計などの計器に接続するための計器用変成器（ＣＴ・ＶＴ）１１が接続されている。
【００２３】
また、方面別主回路５に接続された計器用変成器１１（例えば、計器用変圧器（ＶＴ））には、電圧検知計等の計器に接続するための引き出し端子（試験用端子）（ＶＴＴ）１１ａが設けられている。
【００２４】
また、図２は、図１の電鉄用変電所の特高主回路から高圧配電盤設備を部分拡大したものであり、高圧母線３に接続された計器用変成器１０（例えば、計器用変圧器（ＶＴ））には、電圧検知計等の機器に接続するための引き出し端子（試験用端子）（ＶＴＴ）１０ａが設けられている。
【００２５】
そして、本考案においては、図３に示すように、高圧配電盤設備１に、作業者の感電を防止するための加圧注意喚起装置１２を設けるようにする。
【００２６】
該加圧注意喚起装置１２は、図３に示すように、高圧母線３の電圧の有無を検知する母線側電圧有無検知部１３と、方面別主回線５の電圧の有無を検知する方面側電圧有無検知部１４と、高圧配電盤設備の扉の開閉を検知する扉開閉検知部１５と、警報を通知する警報部１６と、判断部１７とよりなる。
【００２７】
そして、判断部１７は、扉開閉検知部１５により扉が「開」との信号を受けると共に、母線側電圧有無検知部１３、または、方面側電圧有無検知部１４の電圧が「有り」との信号を受けた場合に、警報部１６に、警報を通知するよう指示する、ＯＲ回路とＡＮＤ回路とにより構成された論理回路部により構成される。
【００２８】
そして、それ以外の場合には、警報を鳴らさないように構成される。
【００２９】
なお、母線側電圧有無検知部１３や、方面側電圧有無検知部１４は、例えば、電圧検知計よりなる。
【００３０】
また、母線側電圧有無検知部１３は、計器用変成器１０（例えば、ＶＴ）の引き出し端子（試験端子）（ＶＴＴ）１０ａの二次側端子に接続され、高圧母線３の電圧の有無を、判断部１７に通知するように構成される。
【００３１】
また、方面側電圧有無検知部１４は、計器用変成器１１（例えば、ＶＴ）の引き出し端子（試験端子）（ＶＴＴ）１１ａの二次側端子を介して接続され、方面別主回線５の電圧の有無を、判断部１７に通知するように構成される。
【００３２】
なお、電圧の「無し」とは０以外に、所望の電圧以下の場合も含まれる概念である。
【００３３】
本考案は上記のような構成であるから、例えば、図２に示す高圧母線３から方面別主回路（方面側線）５が加圧され、更に、隣接変電所または配電所からも加圧されていた場合は、図３に示すように、判断部１７により、警報部１５に警報を鳴らすよう判断され鳴動等の警報が発せられる。
【００３４】
また、方面側主回線５が、隣接変電所または配電所からは加圧されず、また、外線断路器（ＤＳ）及び主回路遮断器（ＶＣＢ）などの開閉機器７が解放し、方面別主回線５が無加圧であっても、高圧母線３側が加圧状態の場合は、図４に示すように判断部１７により警報部１６に警報を鳴らすよう判断され鳴動等の警報が発せられる。
【００３５】
また、高圧母線３が停電など無加圧で、主回路遮断器（ＶＣＢ）等の開閉機器７が解放されている場合であっても、隣接変電所または配電所から主回路遮断器（ＶＣＢ）等の開閉機器７まで、方面別主回線５が加圧状態の場合は、図５に示すように判断部１７により警報部１６に警報を鳴らすよう判断され鳴動等の警報が発せられる。
【００３６】
また、高圧母線３が停電など無加圧で、また、外線側断路器（ＤＳ）等の開閉機器９が解放されている場合は、図６に示すように、判断部１７により警報が鳴らないように判断される。
【００３７】
本考案によれば、「加圧注意喚起装置」を設けたので、高圧配電盤設備内の「加圧」「無加圧」による扉の開閉注意喚起ができ安全作業の一環となった。
【００３８】
なお、母線に設けられた引き出し端子と、方面別主回線５設けられた引き出し端子を利用して、母線側電圧有無検知部１３、方面側電圧有無検知部１４を設けることにより、簡単に「加圧注意喚起装置」１２をキュービクル式高圧配電盤設備１に設けることができるようになる。
【符号の説明】
【００３９】
１      高圧配電盤設備
２      引き込み線
３      母線
４      開閉機器
５      方面別主回線
６      変圧器
７      開閉機器
８      外線
９      開閉機器
１０    計器用変成器
１０ａ  引き出し端子
１１    計器用変成器
１１ａ  引き出し端子
１２    加圧注意喚起装置
１３    母線側電圧有無検知部
１４    方面側電圧有無検知部
１５    扉開閉検知部
１６    警報部
１７    判断部
【図１】
0003228024.tif 000003
【図２】
0003228024.tif 000004
【図３】
0003228024.tif 000005
【図４】
0003228024.tif 000006
【図５】
0003228024.tif 000007
【図６】
0003228024.tif 000008